(57)【要約】【課題】回動可能なカムセグメントをその都度簡単にかつ位置正確にカム軸に取り付けることができるようにする。【解決手段】カムセグメント（６）が、外軸（２）に対応配置された案内領域（２′）で、周方向で制限された円区分に延びるさねはぎ結合部（８，９）を介して支承されており、円区分が外軸（２）および内軸（３）に対して同軸的に形成されており、相対回動不能に内軸に結合されたカムセグメント（６）が内軸（３）に対して半径方向で制限された摺動を実施することができるようにした。【選択図】図１
2006144799.tif 000002
【特許請求の範囲】
【請求項１】
特に自動車エンジンのためのカム軸であって、少なくとも１つの第１のカム（５′）と、該第１のカム（５′）に対して制限された回動を実施することができ、第２のカム（４）の部分機能または全機能を果たす少なくとも１つのカムセグメント（６）とが設けられており、
−内軸（３）と外軸（２）とが同心的に、かつ互いに回動可能に入れ子に配置されており、
−その都度第１のカム（５′）とカムセグメント（６）とが外軸（２）を周方向で少なくとも部分的に包囲しており、
−その都度の第１のカム（５′）が固く外軸（２）に結合されており、その都度のカムセグメント（６）が相対回動不能に内軸（３）に結合されており、
−カムセグメント（６）が、円筒形に内軸（３）および外軸（２）に対して同心的に延びる、円区分にわたって延在するにすぎない内周面を有しており、
−カムセグメント（６）の内周面が、外軸（２）により形成されたまたは外軸（２）に固く結合された案内領域（２′）に支承されている
形式のものにおいて、
−カムセグメント（６）が、外軸（２）に対応配置された案内領域（２′）で、周方向で制限された円区分に延びるさねはぎ結合部（８，９）を介して支承されており、円区分が外軸（２）および内軸（３）に対して同軸的に形成されており、
−相対回動不能に内軸に結合されたカムセグメント（６）が内軸（３）に対して半径方向で制限された摺動を実施することができる
ことを特徴とする、特に自動車エンジンのためのカム軸。
【請求項２】
カムセグメント（６）のための、外軸（２）に対応配置された案内領域（２′）が、固く外軸（２）に結合されたベース部分（５）により形成されている、請求項１記載のカム軸。
【請求項３】
ベース部分（５）が、ベース部分（５）内で案内されたカムセグメント（６）と相俟って、第２のカム（４）の機能領域を形成する、請求項２記載のカム軸。
【請求項４】
第１のカム（５′）が、ベース部分（５）の、インテグラルな構成部分として形成されている、請求項２または３記載のカム軸。
【請求項５】
カムセグメント（６）が、内軸（３）および外軸（２）に対して半径方向で延びる方向で、カムセグメント（６）を半径方向内側に向かって負荷する力により負荷されている、請求項１から４までのいずれか１項記載のカム軸。
【請求項６】
カムセグメント（６）を負荷する力がばね（１４，１７，２０）により及ぼされる、請求項５記載のカム軸。
【請求項７】
カムセグメント（６）と内軸（３）との間を相対回動不能に結合するための手段が、内軸（３）に対して半径方向で延びる、固くカムセグメント（６）に結合された結合部材（１０）を有しており、ばね（１４，１７，２０）が結合部材（１０）と内軸（３）の内部との間で支持されている、請求項１から６までのいずれか１項記載のカム軸。
【請求項８】
ばねが板ばね、皿ばねまたはコイルばね（１４，１７，２０）として形成されている、請求項１から７までのいずれか１項記載のカム軸。
【請求項９】
板ばね（１４）が開口（１６）を有しており、開口（１６）の開口縁部が結合部材（１０）の受け（１５）に支持されている、請求項８記載のカム軸。
【請求項１０】
受け（１５）が溝として形成されているか、または片側で有効なストッパとして形成されている、請求項９記載のカム軸。
【請求項１１】
カムセグメントを負荷する力がばね手段（２７）により及ぼされ、ばね手段（２７）が、蛇行して延びる周囲を有する円弧区分を形成し、かつカムセグメント（６）とベース部分（５）との間のさねはぎ結合部（８，９）内で、カムセグメント（６）をベース部分（５）に押し付けるように緊張されている、請求項５記載のカム軸。
【請求項１２】
特に自動車エンジンのためのカム軸であって、少なくとも１つの第１のカム（５′）と、該第１のカム（５′）に対して制限された回動を実施することができ、第２のカム（４）の部分機能または全機能を果たす少なくとも１つのカムセグメント（６）とが設けられており、
−内軸（３）と外軸（２）とが同心的に、かつ互いに回動可能に入れ子に配置されており、
−その都度第１のカム（５′）とカムセグメント（６）とが外軸（２）を周方向で少なくとも部分的に包囲しており、
−その都度の第１のカム（５′）が固く外軸（２）に結合されており、その都度のカムセグメント（６）が相対回動不能に内軸（３）に結合されており、
−カムセグメント（６）が、円筒形に内軸（３）および外軸（２）に対して同心的に延びる、円区分にわたって延在するにすぎない内周面を有しており、
−カムセグメント（６）の内周面が、外軸（２）により形成されたまたは外軸（２）に固く結合された案内領域（２′）に支承されており、
−カムセグメント（６）と内軸（３）とが互いに相対回動不能に、ただし半径方向で互いに摺動可能に結合されている
形式のものにおいて、
請求項５から１０までのいずれか１項記載の特徴を有する
ことを特徴とする、特に自動車エンジンのためのカム軸。
【請求項１３】
請求項２から４までのいずれか１項記載の特徴を有する、請求項１２記載のカム軸。
【発明の詳細な説明】
【技術分野】
【０００１】
本発明は、特に自動車エンジンのためのカム軸であって、少なくとも１つの第１のカムと、該第１のカムに対して制限された回動を実施することができ、第２のカムの部分機能または全機能を果たす少なくとも１つのカムセグメントとが設けられており、内軸と外軸とが同心的に、かつ互いに回動可能に入れ子に配置されており、その都度第１のカムとカムセグメントとが外軸を周方向で少なくとも部分的に包囲しており、その都度の第１のカムが固く外軸に結合されており、その都度のカムセグメントが相対回動不能に内軸に結合されており、カムセグメントが、円筒形に内軸および外軸に対して同心的に延びる、円区分にわたって延在するにすぎない内周面を有しており、カムセグメントの内周面が、外軸により形成されたまたは外軸に固く結合された案内領域に支承されている形式のものに関する。
【背景技術】
【０００２】
そのようなカム軸は例えばドイツ連邦共和国特許出願公開第３９３３９２３号明細書から公知である。この公知のカム軸では、その都度の回動可能なカムセグメントが全ての方向で固く内軸に結合されている。このカムセグメントは半径方向内側に、円筒形の円弧区分を、外軸の、円筒形の外周面での支承のために有している。カムセグメントがそこで内軸に固く結合されるような構成では、カムセグメントと外軸の外周との間の、互いに当て付けられる面間の理想的な支承遊びを確実に遵守することは困難である。
【特許文献１】ドイツ連邦共和国特許出願公開第３９３３９２３号明細書
【発明の開示】
【発明が解決しようとする課題】
【０００３】
本発明の課題は、冒頭で述べた形式のカム軸を改良して、回動可能なカムセグメントをその都度簡単にかつ位置正確にカム軸に取り付けることができるようにすることである。その際特に、冒頭で述べた形式のカム軸において、既に加工し終えたカムを接合することにより、完成したカム軸を形成することができ、第１のカムと回動可能なカムセグメントとを含めた接合された構成部分に追加的な加工を施す必要がないようになっているべきである。さらに、外軸に対して回動可能に支承されているカムセグメントが絶対的に確実にかつ再現可能に、所望の狭い支承遊びを伴って接合され得ることが保証されているべきである。
【課題を解決するための手段】
【０００４】
上記課題を解決した本発明の構成によれば、カムセグメントが、外軸に対応配置された案内領域で、周方向で制限された円区分に延びるさねはぎ結合部を介して支承されており、円区分が外軸および内軸に対して同軸的に形成されており、相対回動不能に内軸に結合されたカムセグメントが内軸に対して半径方向で制限された摺動を実施することができるようにした。
【０００５】
有利かつ合目的な構成は従属請求項の対象である。
【発明の効果】
【０００６】
本発明は、外軸に対して回動可能に外軸に支承された回動可能なカムセグメントを、位置的に専ら外軸の部材にもしくは固く外軸に結合された構成部分において方向付け、かつカム軸の運転中案内するという全般的なアイデアに基づいている。専ら外軸の領域での、可動なカムセグメントの方向付けおよび案内により、カムセグメントと内軸との、製作に基づく結合が、製作精度にネガティブな影響を及ぼすことがなくなる。このことは冒頭で述べた形式のカム軸の接合時に、高い製作精度の達成に関して大きな利点を有している。それというのも、まさにカムセグメントと内軸との結合時に、これまで背景技術で公知のカム軸では、製作精度の悪化が生じやすかったからである。本発明によるカムセグメントの、外軸上での半径方向の支承にとっての前提は、カムセグメントと内軸との間の、少なくとも狭く制限された可能な半径方向の相対摺動可能性である。
【０００７】
本発明により構成されたカム軸では、最初に、固く外軸に結合したい全てのカム部分またはその他の構成部分が、有利には最終精度を伴って接合される。その際、前記の接合したい構成部分は接合時に、有利には既に加工し終えている。加工し終えていない第１のカムおよび／または加工し終えていない固く接合される別の構成部分の使用時には、最終加工が可動なカムセグメントの接合前に実施される。可動な、周方向で開いたカムセグメントの接合は、このカムセグメントが半径方向で外軸の収容領域に設置され、その後、既に外軸内に挿入された内軸に結合され得るようになっていることにより実施される。この結合時に、半径方向でのはめあい精度は専ら外軸の収容領域により規定される。内軸に、可動なカムセグメントは相対回動不能に、かつ軸方向で固定されて結合されている。可動なカムセグメンの半径方向の固定にとって重要な案内／支承部材は、専ら外軸の領域に存在しているか、または固く外軸に結合された構成部分として形成されている。
【０００８】
可動なカムセグメントと内軸との間の相対回動不能な結合は、半径方向で延びるピンを介して実施される。ピンは可動なカムセグメントに固く係合する。このピンは外軸に設けられた切欠きを貫通する。この切欠きは周方向で、所定の相対回動が内軸と外軸との間で可能であるような延在長さを有している。内軸内でのピンの支承に際し、特に回動方向で整合した収容部が設けられていなければならない。特に半径方向で、滑りばめもしくはすきまばめが設けられていることができる。滑りばめもしくはすきまばめは、軸の軸線に対して半径方向で、少なくとも僅少な可動性を保証する。この半径方向の可動性は、過剰に規定された支承の回避のために必要である。それというのも、可動なカムセグメントの半径方向の位置精度が専ら、このカムセグメントの、外軸内でのポジショニングにより提供されているべきであるからである。
【０００９】
本発明の特に有利な構成では、第２のカムが、外軸に固く接合可能なベース部分と、ベース部分と共に回動可能なカムセグメントとから成っている。可動なカムセグメントの、ベース部分内での半径方向の支承は、円弧状に延びる「さねはぎ」結合手段を介して提供されている。円弧状の案内軌道は内軸および外軸の軸線に関して同心的に延びている。加工し終えた状態のカムセグメントを、やはり既に加工し終えたベース部分内に設けられた円弧状の案内軌道内に導入することができるように、カムセグメントも円軌道も、閉鎖された円を形成してはならない。カムセグメントならびにベース部分に設けられた、さねはぎ案内手段を形成する領域は周方向で、結合手段の結合が可能であるように設計されていなければならない。この目的のために、例えばカムセグメントならびにベース部分のさねはぎ結合部の、係合し合う案内手段が、その都度１８０°の円弧に制限されていることができる。既に、さねはぎ結合部の閉鎖が何の問題もなく可能である。結合のために、案内手段の円弧が合計で３６０°を超えないことが必要である。
【００１０】
原理的には、カムセグメントと、外軸に存在するベース部分との間の前記さねはぎ結合部が、第２のカムの機能部分としての、第１のカムに対して回動可能なカムセグメントによる申し分のないカム軸運転を保証することができる。
【００１１】
さらに、以下に述べる手段により付加的な改善が達成される。
【００１２】
この改善は、例えば内燃機関の弁タペットの駆動時に発生する、カムに入力する作動力が、半径方向外側から内側に向かって作用するにすぎないという考えから出発する。このことは結果的に、この方向でのみ、できるだけ安定した支承／支持が提供されていればよいことになる。カム軸運転中、可動なカムセグメントには、半径方向外側に向かって比較的僅かな遠心力が作用するにすぎない。この考えから出発して、本発明により、支承手段をばね力により半径方向内側に向かって予圧することが提案される。このように予圧されて支承されていると、そのようなカム軸の運転時に実質的に、回動可能なカムセグメントにおける半径方向の支承遊びが存在しなくなる。
【００１３】
ばね手段の、そのような支承予圧の達成のために必要な装置は、種々異なる形式であることができる。
【００１４】
有利な実施形態は、回動可能なカムセグメントを相対回動不能に内軸に支承するピンを、ばね力を介して内軸に支持する点にある。その際、ピンは半径方向内側に向かって力で負荷される。このピンとカムセグメントとの固い結合のために、こうして、カムセグメントが、ベース部分内に位置する支承部内に、半径方向内側に向かって押し込まれる。ばね手段として、板ばね、皿ばねまたは任意のコイルばねが使用されることができる。
【００１５】
円弧状に延びるさねはぎ結合手段内に、ばね平面で見て蛇行した周方向経過を有するばねリングを装入することも可能である。そのようなばねリングは、ばね力が直接、対向して位置する支承部側面に及ぼされることにより、直接さねはぎ支承部内での、本発明により企図されている支承予圧を可能にする。その際、ばねリングはもちろん、カムセグメントの支承部の、半径方向内側に向かっての予圧を可能にする支承部側面に装入されねばならない。
【００１６】
さらに原理的には、回動可能なカムセグメントの、半径方向内側に向かって作用するばね力負荷に際し、カムセグメントとベース部分との間の、前記円弧状のさねはぎ結合部を完全に省略することが可能である。このことは、ばね力が実質的に、カム軸の運転中カムセグメントに作用する遠心力に抗して十分に確実に働くだけでよいからである。
【００１７】
本発明による調節可能なカム軸の多数の使用事例にとって、調節可能なカムセグメントはベースサークルがなくても十分である。すなわち、第２のカムは専ら、ベースサークル領域のない、調節可能な、周方向で開いたカムセグメントから成る。そのようなカムセグメントにおいて、ベースサークル領域も提供すべき事例では、ベースサークルの機能が、使用されるベース部分の相応の形状により果たされることができる。ベース部分は一体的に構成されていることができる。ただし、軸の軸方向で見て二部分から成るベース部分を外軸に位置的に接合し、一体的なベース部分の機能を果たすことができるようにすることも可能である。二部分から成るベース部分の少なくとも一方の部分を、カム軸との結合後もしくは開いたカムセグメントの設置後に、角度的なポジショニングを変更することなく軸方向で摺動させることも可能である。
【００１８】
加えて、第１のカムを、第２のカムの、単数または複数の部分から成るベース部分に統合することも可能である。
【００１９】
以下に図面を参照しながら本発明の実施例について詳細に説明する。
【発明を実施するための最良の形態】
【００２０】
図１〜図３に基づく構成
調節可能なカム軸１は、互いに回動可能な、同心的に入れ子に配置された２つの軸、すなわち外軸２と内軸３とを有している。図１〜図３には、そのような調節可能なカム軸１の全長のうち、特に第２のカム４を有する短い区分だけが示されている。この第２のカム４において、ベース部分５は固く外軸２に結合されている。この結合は例えば収縮ばめにより提供されていることができる。ベース部分５には、外軸２および内軸３の共通の軸線を中心に回動可能に、カムセグメント６が支承されている。このカムセグメント６は第２のカム４の部分周囲にわたって延在しているにすぎない。カムセグメント６は半径方向内側で円弧状に形成されている。すなわち、カムセグメント６は、そのように成形された案内軌道を有している。周方向で、この円弧状の区分は１８０°を超えてはならない。さもなければ、このカムセグメント６を半径方向でベース部分５に設置することは不可能である。
【００２１】
ベース部分５に、カムセグメント６は半径方向で支承されねばならない。そのような支承は図示の実施例ではベース部分５の周方向溝７内で実施される。周方向溝７の底領域には、周方向溝７の側面に、軸方向で凹状に成形されたリング溝８が存在する。このリング溝８はカムセグメント６の収容および案内のために役立つ。このために、カムセグメント６には、リング溝８に対して相補的に凸状に成形されたリングウェブ９が設けられている。ベース部分５およびカムセグメント６のこの「リング溝−リングウェブ構成」により、これらの両部分間に、溝−ウェブ結合部、すなわち一種の「さねはぎ」結合部が提供されている。その際、リング溝８とリングウェブ９との間には、僅少な遊びが存在している。この遊びにより、ベース部分５内でのカムセグメント６の回動が可能である。「さねはぎ」結合を達成し得るように、リング溝８ならびにリングウェブ９は、当該構成部分の部分周囲にのみ設けられているべきである。それにより、カムセグメント６は、さねはぎ結合部として形成されていない周囲領域に位置する周方向溝７内に、半径方向で挿入されることができる。
【００２２】
回動可能にベース部分５内に支承されたカムセグメント６は、第２のカム４の、カムベースサークルの外側に位置する山領域を形成するにすぎない。ベースサークル領域のないカムが存在することができるカム軸の使用時に、第２のカム４のための、そのようなベースサークル領域のない構成は、カムセグメント６の形で十分である。カムセグメント６を備えた第２のカム４がベースサークル領域を有しているべき応用事例のために、ベースサークル領域はベース部分５により形成されることができる。同様に第１のカムも、ベース部分５の、統合された構成部分５′として形成されていることができる。このベース部分５は一体的に形成されていてもよいし、または軸方向で分割されて形成されていてもよい。軸方向で分割されて形成されている場合、ベース部分５は、軸方向で間隔を置いて固く外軸２に結合された２つのリングから成る。２つのリングは両者間に、ベース部分５の先述の一体的な構成と機能的に等しい周方向溝７を形成することができる。原理的に、ベース部分５の機能は、外溝２の、相応の一体的な張り出し成形により提供されていることもできる。
【００２３】
周方向溝７内でカムセグメント６は半径方向で案内されている。周方向および軸方向での案内はピン１０により提供される。ピン１０は固くカムセグメント６に結合されている。そのような結合は例えば、ピン１０を、カムセグメント６内に設けられ、ピン１０に対応配置された孔内で収縮ばめすることにより実施されることができる。ピン１０は外軸２において、外軸２の周方向で延在する長穴１１を貫通する。この長穴１１の長さにより、カムセグメント６の、外軸２に対する回動角が規定されている。内軸３内において、ピン１０は収容孔１２内で支承されている。ピン１０の直径と収容孔１２の直径とは、ピン１０の、収容孔１２内での滑りばめに関連して設計されている。ピン１０は、ベース部分５の周方向溝７内でのカムセグメント６の「さねはぎ」支承のために、カムセグメント６と内軸３との間の、周方向での固定を保証するだけでよい。半径方向で、カムセグメント６は、「さねはぎ」結合部の設計により予め与えられた半径方向の遊びの範囲内で自由に運動可能であることができるし、むしろ自由に運動可能であるべきである。カムセグメント６が既に挿入されている際に、ピン１０が挿入され得るように、ベース部分５ならびに外軸２には、相応の導入開口１３が設けられている。択一的に、ピン１０は固く内軸３に、かつ滑りばめを介してカムセグメント６に結合されていることもできる。
【００２４】
カムセグメント６とベース部分５とから成る第２のカム４の組み立ては以下のように実施される。
【００２５】
ベース部分５は例えば収縮ばめにより外軸２に接合される。複数の第１および第２のカムを有する一般的なカム軸では、第１の作業ステップで、これらのカムが追加加工なしに外軸２に接合される。第１のカムとは、全体的に固く外軸２に結合されているカムである。第１のカムは、固く外軸に結合される、カムセグメント６を支承する構成部分の一部であることができる。本発明による第２のカム４では、接合がまず、その都度固く外軸２に結合したいベース部分５に関してのみ実施される。ベース部分５内に、第１のカム５′が統合されていることができる（図１および図２）。
【００２６】
カムもしくは第２のカム４のベース部分５を接合し終えた後、内軸３を外軸２内に挿入することと、カムセグメント６を、やはり所属のベース部分５の、その都度１つの対応配置された周方向溝７内に半径方向で設置することとが実施される。カムセグメント６をベース部分５に半径方向で設置することは、周方向溝７の、「さねはぎ」結合手段が設けられていない周囲領域内で、半径方向で導入し、引き続いて、周方向溝７内でカムセグメント６を相応に回動させることにより「さねはぎ」結合部を形成することにより実施される。
【００２７】
次の作業ステップで、その都度のピン１０を、ベース部分５、外軸２および内軸３の半径方向の開口を通して挿入し、かつ当該のピン１０をカムセグメント６内で固定することが実施される。この固定は収縮ばめ結合を介して実施されることができる。収縮ばめ結合は、互いに結合したい両部分が結合時にそれぞれ異なる温度を有していることにより達成されることができる。その結果、温度補償時に自動的に収縮ばめが形成される
【００２８】
本発明によるこのカム軸形成における特別な利点は、カム軸１が完全に、準備し終えた個々の部材から接合されることができ、より詳しく言えば、完成したカム軸１に追加的な加工を施す必要がもはや存在しない点にある。
【００２９】
択一的な製作可能性は、内軸３の組み立ておよび調節可能なカムセグメント６の接合前に、固定的な構成部分と接合されたカム軸を、標準的なカム軸に相応して研削することにある。
【００３０】
図４〜図１３に基づく構成
これらの構成は、回動可能なカムセグメント６の半径方向の当接／案内面と、ベース部分５に設けられた、外軸２に定置の対応案内面との間の、カム軸軸線に関して半径方向内側に向かってばね負荷された当接に関する、種々異なる可能なバリエーションを有している。
【００３１】
その際、以下の考えから出発している。
【００３２】
軸方向でベース部分５内で案内されたカムセグメント６は半径方向外側に向かって、カム軸の運転中の、カムセグメント自身に由来する遠心力にのみ曝されている。この遠心力は比較的小さな力であり、ばねにより受容されることができる。このために、ばねは一方ではカムセグメント６に、他方では例えば内軸３に固く結合された対応支承部に、遠心力の方向とは逆向きに緊張されねばならない。本発明により、カムセグメント６とベース部分５との間に「さねはぎ」結合部が存在しているのであれば、「さねはぎ」結合部内で直接、相応にばね力負荷することも可能である。対応支承部は外軸２もしくはこれに固く結合された構成部分５により形成されていることもできる。
【００３３】
原理的には、カムセグメント６の、ばね負荷された支承時に、本発明によるさねはぎ結合部が省略されることもできる。ベース部分５において、カムセグメント６はそのような事例では、半径方向内側に向かってばね力負荷されて、その内側の円弧状の案内面でもって当て付けられている。
【００３４】
それゆえ、図４〜図６に示した構成バリエーションでは、たとえ「さねはぎ」結合部がカムセグメント６とベース部分５との間に記載されていても、「さねはぎ」結合部を省略することができる。
【００３５】
図４および図５に示した構成では、板ばね１４がばね力負荷を生ぜしめる。この板ばね１４は、ピン１０に設けられた支持装置１５と、内軸３の内周面との間で緊張されている。板ばね１４のための、ピン１０に設けられる収容面もしくは収容部は、ピン１０に設けられた収容リング溝１５により形成される。板ばね１４には、鍵穴状の支承開口１６が設けられている。支承開口１６により、板ばね１４は収容リング溝１５内に係留されることができる。調節可能なカム軸１が一般的な形で複数のカムセグメント６を有している場合、唯一の板ばね１４が、これらの複数の第２のカムセグメント６の個々のピン１０を固定するために使用されることができる。図４および図５に示した実施例では、ピン１０が螺入により、カムセグメント６内に設けられたねじ山を介して固定されている。螺入補助手段として、ピン１０の自由な端部には、六角穴が設けられている。
【００３６】
図６に示した実施例では、板ばね１４がコイルばね１７に代替されている。
【００３７】
図７に示した実施例は、ばね１７のばね力が、内軸３の内面ではなく、第２のカム４の、固く外軸２に結合されたベース部分５に支持されている実施例を示している。このことは特に、内軸３が外軸２に対して負荷されないために有利である。ばね１７はその際、外軸２の長穴１１の領域で、ピン１０に設けられた当接面と、第２のカム４のベース部分５に設けられた別の長穴１１′を覆う当接ディスク２２との間に配置されている。当接ディスク２２はピン１０を形状結合（ｆｏｒｍｓｃｈｌｕｅｓｓｉｇ：形状による束縛）式に包囲する。当接ディスク２２は、カムセグメント６の、内軸３に対する相対回動時に、周方向で、ベース部分５内に設けられ対応配置された案内面に沿って滑動する。
【００３８】
図８は、カムセグメント６と所属のベース部分５との間に「さねはぎ」結合部が設けられていない実施例を示している。半径方向の支承はここでは、カムセグメント６の、外軸２への当接によってのみ提供されている。このことは、ここでは直接固く外軸２に結合された２つのリング１８，１９から成るベース部分５が存在していることを意味している。これらの両リング１８，１９は、両者間に位置するカムセグメント６が軸方向でルーズにポジショニングされている一方、ピン１０が内軸３に対する軸方向の案内を請け負うような軸方向の間隔を置いて、外軸２に接合されている。ばね力はコイルばね２０により生ぜしめられる。コイルばね２０は、ピン１０の支持装置と内軸３の内周面との間で緊張されている。固くカムセグメント６に結合されたピン１０に設けられた支持装置もしくは受け２１は、ピン１０のリング溝内に一般的な形で固定可能なリテーナリングにより形成される。リテーナリングは例えば、スナップリングや、ピン１０のリング溝内で爪を立てる受けを備えた被せ嵌めリングであることができる。図面ではこの支持装置に符号２１を付した。ピン１０はこの構成では既にカムセグメント６の組み立て前にカムセグメント６に結合されており、これらの構成群６，１０を、開口１１を通して内軸３内に挿入する際に、支持装置２１に結合される。この支持装置２１およびばね２０は組み立て前に軸３の内部にポジショニングされ、場合によっては補助手段により、ピン１０との結合プロセスまでこの位置に保持される。
【００３９】
図９は、カムセグメント６に単数または複数の保持部材２３が取り付けられており、保持部材２３が、カムセグメント６の、半径方向での遊びのないポジショニングを、有利には半径方向内側に向かってばね負荷されたピン２４により保証するようになっている実施例を示している。
【００４０】
図１０に示した例では、溝８と協働する部材が有利には、カムセグメント６の、遊びのない半径方向でのポジショニングのために予圧されているばね部材２５である。このことは特に、カムセグメント６が保持部材の組み立て前に簡単かつ精緻に製作されるために有利である。ばね部材２５の使用時、簡単かつ安価な個々のコンポーネントの使用により、多数の機能が統一される。さらにこの構成により、ばね部材２５が、組み立ての時点でカムセグメント６の幅を超えない（図１１Ａ）ように予圧されて挿入されると、閉鎖された溝プロファイル８内への組み立てが可能である。カムセグメント６が所望の半径方向の位置に達した後、ばね部材２５は有利には自動的に、例えばベース部分５との接触により、弛緩される。その結果、ばね部材２５の端部はベース部材５の溝８内に係入し、それにより、半径方向のポジショニングを保証する（図１１Ｂ）ことができる。択一的に、カム軸長手方向軸線の方向でばねにより助成されて摺動可能なピン２６が使用されることもできる（図１１Ｃおよび図１１Ｄ）。
【００４１】
図１２および図１３に示した、蛇行して形成され半径方向でばね弾性的な周囲を備えた、半円リングに成形されたばねは、支承予圧手段として、図１および図９に示した実施例で、さねはぎ案内部の間に挿入されることができるばねである。
【００４２】
明細書および特許請求の範囲に記載されているすべての特徴は、個別的にも、互いに任意に組み合わされても、本発明の本質を成すものであることができる。
【図面の簡単な説明】
【００４３】
【図１】第２のカムの、設置される回動可能なカムセグメントを備えたカム軸領域の縦断面図である。
【図２】図１に示した第２のカムのベース部分の斜視図である。
【図３】図１に示した第２のカムのカムセグメントの斜視図である。
【図４】固定手段としての板ばねにより第２のカムの可動なカムセグメントを固定している択一的なカム軸領域の縦断面図である。
【図５】図３に示した構成を９０°ずらして断面したカム軸領域の断面図である。
【図６】固定手段としての、円筒形に巻かれたばねを備えた、図４および図５に示した構成のバリエーションを示す図である。
【図７】固定手段としてのばねを備えた、図４〜図６に示した構成の別のバリエーションを示す図である。
【図８】図６に示した構成の別のバリエーションを示す図である。
【図９】第２のカムの可動なカムセグメントの、ばね力により予圧された支承の、択一的な構成を示す図である。
【図１０】第２のカムの可動なカムセグメントの、ばね力により予圧された支承の、別の択一的な構成を示す図である。
【図１１】ＡおよびＢは、ばね手段の、図１０に示した構成の組み立ての経過を示す図であり、ＣおよびＤは、図１０に示した構成から改変された構成の組み立ての経過を示す図である。
【図１２】ばね手段の、図９に示した実施例に対して択一的な構成を示す図である。
【図１３】図１２に示した線ＸＩＩＩ−ＸＩＩＩに沿った断面図である。
【符号の説明】
【００４４】
１  調節可能なカム軸、  ２  外軸、  ２′  案内領域、  ３  内軸、  ４  第２のカム、  ５  ベース部分、  ５′  ベース部分５のインテグラルな構成部分としての第１のカム、  ６  カムセグメント、  ７  周方向溝、  ８  リング溝、  ９  リングウェブ、  １０  ピン、  １１  長穴、  １１′  長穴、  １２  内軸に設けられた収容孔、  １３  導入開口、  １４  板ばね、  １５  収容リング溝、  １６  支承開口、  １７  コイルばね、  １８  リング、  １９  リング、  ２０  コイルばね、  ２１  支持装置、  ２２  当接ディスク、  ２３  保持部材、  ２４  ピン、  ２５  ばね部材、  ２６  ピン、  ２７  蛇行したばね
【図１】
2006144799.tif 000003
【図２】
2006144799.tif 000004
【図３】
2006144799.tif 000005
【図４】
2006144799.tif 000006
【図５】
2006144799.tif 000007
【図６】
2006144799.tif 000008
【図７】
2006144799.tif 000009
【図８】
2006144799.tif 000010
【図９】
2006144799.tif 000011
【図１０】
2006144799.tif 000012
【図１１】
2006144799.tif 000013
【図１２】
2006144799.tif 000014
【図１３】
2006144799.tif 000015